(57)【要約】【課題】  本来のアンカーボルトと同等の引き抜き耐力を確保し得る後施工アンカーボルトを提供する。【解決手段】コンクリート基礎１１の天端面から下端面にかけて貫通して形成された縦穴１１ａに、両端部に雄ねじ２ａが形成されたアンカーロッド２を挿通し、コンクリート基礎１１の下端面側において、該下端面から突出されたアンカーロッド２の下端部に連結プレート３の取付穴３ａを挿通した後、アンカーロッド２の下端側の雄ねじ２ａにナット４をねじ込んで締結する。その後、グラウトＧをアンカーロッド２の下端部、連結プレート３およびナット４を覆ってコンクリート基礎１１に接合させる。【選択図】  図２
2005299129.tif 000002
【特許請求の範囲】
【請求項１】
コンクリート基礎の天端面から下端面にかけて貫通して形成された縦穴に挿通され、両端部に雄ねじが形成されたアンカーロッドと、アンカーロッドに挿通可能な取付穴が形成され、コンクリート基礎の下端面から突出されたアンカーロッドの下端部に挿通された連結プレートと、アンカーロッドの下端側の雄ねじに締結されて連結プレートを保持するナットと、アンカーロッドの下端部、連結プレートおよびナットを覆ってコンクリート基礎に接合されたグラウトと、からなり、アンカーロッドが連結プレートを介してコンクリート基礎に定着されたことを特徴とする後施工アンカーボルト。
【請求項２】
コンクリート基礎の天端面から途中位置まで形成された縦穴に挿入され、下端部に貫通穴が形成される一方、上端部に雄ねじが形成されたアンカーロッドと、コンクリート基礎の縦穴に連通されるとともに、その一側面から他側面にかけて貫通して形成された横穴に挿通され、アンカーロッドの貫通穴に挿通された連結部材と、連結部材を覆ってコンクリート基礎に接合されたグラウトと、からなり、アンカーロッドが連結部材を介してコンクリート基礎に定着されたことを特徴とする後施工アンカーボルト。
【請求項３】
コンクリート基礎の天端面から途中位置まで形成された縦穴に挿入され、両端部に雄ねじが形成されたアンカーロッドと、コンクリート基礎の縦穴に連通されるとともに、その一側面から縦穴の底部を越える位置まで形成された横穴に挿入され、アンカーロッドの下端側の雄ねじに締結されたナットと、ナットを覆ってコンクリート基礎に接合されたグラウトと、からなり、アンカーロッドがナットを介してコンクリート基礎に定着されたことを特徴とする後施工アンカーボルト。
【発明の詳細な説明】
【技術分野】
【０００１】
この発明は、後施工アンカーボルトに関するものである。
【背景技術】
【０００２】
一般に、図５に示すように、アンカーボルト１０は、コンクリート基礎１１の鉄筋組立てと同時に組み込まれ、その後、コンクリートを打設することによって、コンクリート基礎１１と一体化されている。そして、コンクリート基礎１１に埋設されたアンカーボルト１０に穴開けした土台Ｓを差し込んだ後、アンカーボルト１０にワッシャを介してナットを締め付けることにより、土台Ｓを固定するものである。
【０００３】
なお、コンクリート基礎１１を構築するにあたっては、割栗地業１２を形成した後、捨てコンクリート１３が打設される。また、コンクリート基礎１１のフーチングは盛土１４によって覆われている。
【０００４】
ところで、もし、コンクリート基礎の鉄筋や型枠を組み立てる段階でアンカーボルトを入れ忘れたままコンクリートを打設してしまうと、土台や柱を固定することができない。また、アンカーボルトを誤って設定位置以外の場所に植設することもあり、その際にも、土台や柱を固定することが困難となる。さらには、コンクリート基礎を形成した後、増築などの事情により、アンカーボルトを追加して要求されることがある。
【０００５】
このように、コンクリート基礎を形成した後にアンカーボルトを必要とする事態に対応して、後施工アンカーボルトが広く採用されている。例えば、特許文献１に記載されるように、端部にテーパー部を形成したボルトと、先端拡張部を有するスリーブとから後施工アンカーボルトを構成し、コンクリート基礎に縦穴を形成した後、縦穴にボルトを挿入するとともに、スリーブをボルトに打ち込むことにより、先端拡張部をボルトのテーパー部に沿って穴の内周面に押圧しながら拡径させて定着するメカニカルアンカーボルトが知られている。また、詳細には説明しないが、ケミカルアンカーと呼ばれる後施工アンカーボルトも知られている。
【特許文献１】特開平６−６５９３１号公報（第４図）
【発明の開示】
【発明が解決しようとする課題】
【０００６】
ところで、後施工アンカーボルトは、コンクリート基礎の鉄筋組立てと同時に組み込まれてコンクリート基礎と一体化される本来のアンカーボルトに比較すると、どうしても引き抜き耐力が劣るため、土台や柱の取り付けに際して必要な強度を確保することができないという欠点があった。
【０００７】
本発明は、このような問題点に鑑みてなされたもので、本来のアンカーボルトと同等の引き抜き耐力を確保し得る後施工アンカーボルトを提供するものである。
【課題を解決するための手段】
【０００８】
本発明は、コンクリート基礎の天端面から下端面にかけて貫通して形成された縦穴に挿通され、両端部に雄ねじが形成されたアンカーロッドと、アンカーロッドに挿通可能な取付穴が形成され、コンクリート基礎の下端面から突出されたアンカーロッドの下端部に挿通された連結プレートと、アンカーロッドの下端側の雄ねじに締結されて連結プレートを保持するナットと、アンカーロッドの下端部、連結プレートおよびナットを覆ってコンクリート基礎に接合されたグラウトと、からなり、アンカーロッドが連結プレートを介してコンクリート基礎に定着されたことを特徴とするものである。
【０００９】
本発明によれば、コンクリート基礎の天端面から下端面にかけてアンカーロッドの外径に対応する内径の縦穴を貫通して形成した後、縦穴にアンカーロッドを挿通し、その下端部に連結プレートの取付穴を挿通するととともに、下端側の雄ねじにナットをねじ込んで締結し、コンクリート基礎の天端面からアンカーロッドの突出量を調整する。この際、作業に支障のないように、予め縦穴近傍の盛土、捨てコンクリートおよび割栗地業を除去しておく。次いで、連結プレートがコンクリート基礎の下端面に接した状態にアンカーロッドを支持し、グラウトをアンカーロッドの下端部、連結プレートおよびナットを覆ってコンクリート基礎の下端面に接合させる。また、アンカーロッドが縦穴の内周面とアンカーロッドの外周面との隙間で移動しないように、該隙間にもグラウトを充填する。この後、グラウトが硬化したならば、地業を回復させる。
【００１０】
この結果、アンカーロッドは、連結プレートを介してコンクリート基礎に定着されるため、コンクリート基礎と一体化された本来のアンカーボルトと同等の引き抜き耐力を有することになり、必要な強度を確保することができ、アンカーボルトの入れ忘れや、アンカーボルトの誤った位置への植設、アンカーボルトの追加などに対応することができる。
【００１１】
ここで、縦穴の内径をアンカーロッドの外径よりも若干大きく形成すると、縦穴の範囲内でアンカーロッドの位置を調整することができる。
【００１２】
本発明は、コンクリート基礎の天端面から途中位置まで形成された縦穴に挿入され、下端部に貫通穴が形成される一方、上端部に雄ねじが形成されたアンカーロッドと、コンクリート基礎の縦穴に連通されるとともに、その一側面から他側面にかけて貫通して形成された横穴に挿通され、アンカーロッドの貫通穴に挿通された連結部材と、連結部材を覆ってコンクリート基礎に接合されたグラウトと、からなり、アンカーロッドが連結部材を介してコンクリート基礎に定着されたことを特徴とするものである。
【００１３】
本発明によれば、コンクリート基礎の天端面からアンカーロッドの下端部に対応する内径の縦穴を設定深さ形成するとともに、コンクリート基礎に形成された縦穴の深さに合わせて、かつ、縦穴の底部に連通するように、コンクリート基礎の一側面から他側面にかけて横穴を形成する。次いで、コンクリート基礎の縦穴にアンカーロッドを挿入する一方、その横穴にボルトやピンなどの連結部材を挿通し、アンカーロッドの下端部に形成された貫通穴に連結部材を挿通させる。次いで、グラウトをコンクリート基礎の横穴の内周面と連結部材の外周面との隙間に充填し、連結部材を覆ってコンクリート基礎の横穴に接合させる。また、アンカーロッドがコンクリート基礎の縦穴の内周面とアンカーロッドの外周面との隙間で移動しないように、該隙間にもグラウトを充填する。
【００１４】
この結果、アンカーロッドは、連結部材を介してコンクリート基礎に定着されるため、コンクリート基礎と一体化された本来のアンカーボルトと同等の引き抜き耐力を有することになり、必要な強度を確保することができ、アンカーボルトの入れ忘れや、アンカーボルトの誤った位置への植設、アンカーボルトの追加などに対応することができる。
【００１５】
本発明は、コンクリート基礎の天端面から途中位置まで形成された縦穴に挿入され、両端部に雄ねじが形成されたアンカーロッドと、コンクリート基礎の縦穴に連通されるとともに、その一側面から縦穴の底部を越える位置まで形成された横穴に挿入され、アンカーロッドの下端側の雄ねじに締結されたナットと、ナットを覆ってコンクリート基礎に接合されたグラウトと、からなり、アンカーロッドがナットを介してコンクリート基礎に定着されたことを特徴とするものである。
【００１６】
本発明によれば、コンクリート基礎の天端面からアンカーロッドの外径に対応する内径の縦穴を設定深さ形成するとともに、コンクリート基礎に形成された縦穴の深さ位置に合わせて、かつ、縦穴の底部に連通するように、コンクリート基礎の一側面からその縦穴の底部を一定長さ越えた位置までナットを挿入できる大きさの横穴を形成する。次いで、コンクリート基礎の横穴から縦穴直下位置までナットを挿入する一方、その縦穴にアンカーロッドを挿入し、その下端側の雄ねじをナットにねじ込んで締結する。この後、グラウトをコンクリート基礎の横穴に充填し、ナットを覆ってコンクリート基礎の横穴に接合させる。また、アンカーロッドが縦穴の内周面とアンカーロッドの外周面との隙間で移動しないように、該隙間にもグラウトを充填する。
【００１７】
この結果、アンカーロッドは、ナットを介してコンクリート基礎に定着されるため、コンクリート基礎と一体化された本来のアンカーボルトと同等の引き抜き耐力を有することになり、必要な強度を確保することができ、アンカーボルトの入れ忘れや、アンカーボルトの誤った位置への植設、アンカーボルトの追加などに対応することができる。
【発明の効果】
【００１８】
本発明によれば、予めコンクリートと一体化される本来のアンカーボルトと同等の強度を備えた後施工アンカーボルトを得ることができる。
【発明を実施するための最良の形態】
【００１９】
以下、本発明の実施の形態を図面に基づいて説明する。
【実施例１】
【００２０】
図１および図２には、後施工アンカーボルト１の実施例１が示されている。
【００２１】
この後施工アンカーボルト１は、両端部に雄ねじ２ａが形成され、コンクリート基礎１１の高さを十分越える長さのアンカーロッド２と、アンカーロッド２に挿通可能な取付穴３ａを形成した連結プレート３と、アンカーロッド２の雄ねじ２ａに螺合可能なナット４と、から構成されている。
【００２２】
この施工アンカー１を施工するに際しては、まず、後施工アンカーボルト１を施工する近辺の盛土１４、捨てコンクリート１３および割栗地業１２を予め除去して、作業に支障のないように準備した後、コンクリート基礎１１の天端面から下端面にかけて、アンカーロッド２の外径よりも若干大きな内径の縦穴１１ａを形成する。次いで、コンクリート基礎１１の縦穴１１ａにアンカーロッド２を挿通し、コンクリート基礎１１の下端面側において、アンカーロッド２の下端部に連結プレート３の取付穴３ａを挿通した後、その雄ねじ２ａにナット４をねじ込んで締結する。この際、アンカーロッド２の、コンクリート基礎１１の天端面からの突出量を調整する。この後、コンクリート基礎１１の下端面に連結プレート３が接した状態にアンカーロッド２を支持し、アンカーロッド２、連結プレート３およびナット４に錆が発生するのを防止するため、グラウトＧをアンカーロッド２の下端部、連結プレート３およびナット４を覆って充填し、コンクリート基礎１１の下端面に接合させる。合わせて、コンクリート基礎１１の縦穴１１ａの内周面とアンカーロッド２の外周面との隙間にグラウトＧを充填する。グラウトＧが硬化したならば、割栗地業１２を施工するとともに、捨てコンクリート１３を打設した後、盛土１４を回復させる。
【００２３】
この結果、アンカーロッド２は、連結プレート３を介してコンクリート基礎１１に定着されるため、本来のアンカーボルトと同等の引き抜き耐力を有することになり、必要な強度を確保することができる。したがって、アンカーボルトの入れ忘れ、アンカーボルトの誤った位置への植設、アンカーボルトの追加などに対応することができる。
【００２４】
なお、前述した後施工アンカーボルト１においては、コンクリート基礎１１を形成した後、コンクリート基礎１１に縦穴１１ａを形成し、後施工アンカーボルト１を設ける場合を説明したが、予めアンカーボルトを余分に必要とすることが把握されているような場合、例えば、後日増築が予想されているような場合には、土台や柱を連結する位置に合わせて予めコンクリート基礎１１に穴を形成しておくことができる。具体的には、コンクリート基礎１１の鉄筋に予めシース管を取り付け、コンクリートを打設してコンクリート基礎１１を形成することにより、コンクリート基礎１１の上下方向にシース管を埋設することができ、シース管を利用して後施工アンカーボルト１を取り付けることができる。この場合は、コンクリート基礎１１に縦穴１１ａを形成する必要がなく、作業を迅速に行うことができる利点がある。
【実施例２】
【００２５】
図３に示す後施工アンカーボルト１の実施例２は、一端部に雄ねじ２１ａが形成されたロッド２１の他端部に貫通孔２２ａが形成されたブロック２２を溶接してなるアンカーロッド２Ａと、アンカーロッド２Ａの貫通孔２２ａに挿通可能なピンやボルトなどの連結部材５と、から構成されている。
【００２６】
この後施工アンカーボルト１を施工するに際しては、まず、アンカーロッド２Ａのブロック２２を挿入できる穴径の縦穴１１ａをコンクリート基礎１１の天端面から設定深さにわたって形成する。次いで、コンクリート基礎１１に形成された縦穴１１ａの深さに合わせて、かつ、縦穴１１ａの底部に連通するように、コンクリート基礎１１の一側面から他側面にかけて横穴１１ｂを形成する。次いで、コンクリート基礎１１の縦穴１１ａにアンカーロッド２Ａを挿入する一方、その横穴１１ｂに連結部材５を挿通し、アンカーロッド２Ａに形成された貫通穴２２ａに連結部材５を挿通させる。次いで、連結部材５に錆が発生するのを防止するため、グラウトＧをコンクリート基礎１１の横穴１１ｂの内周面と連結部材５の外周面との隙間に充填し、連結部材５を覆ってコンクリート基礎１１の横穴１１ｂに接合させる。また、アンカーロッド２Ａがコンクリート基礎１１の縦穴１１ａの内周面とアンカーロッド２Ａの外周面との隙間で移動しないように、該隙間にもグラウトＧを充填する。
【００２７】
この結果、アンカーロッド２Ａは、連結部材５を介してコンクリート基礎１１に定着されるため、本来のアンカーボルトと同等の引き抜き耐力を有することになり、必要な強度を確保することができる。したがって、アンカーボルトの入れ忘れ、アンカーボルトの誤った位置への植設、アンカーボルトの追加などに対応することができる。
【実施例３】
【００２８】
図４に示す後施工アンカーボルト１の実施例３は、両端部に雄ねじ２ａが形成されたアンカーロッド２と、アンカーロッド２の雄ねじ２ａに螺合可能なナット４Ａと、から構成されている。
【００２９】
ここで、ナット４Ａの外径は、コンクリート基礎１１に形成された縦穴１１ａの内径よりも充分に大きなものが用いられる。
【００３０】
この施工アンカー１を施工するに際しては、まず、アンカーロッド２の外径よりも若干大きな内径の縦穴１１ａをコンクリート基礎１１の天端面から設定深さにわたって形成する。次いで、コンクリート基礎１１に形成された縦穴１１ａの深さに合わせて、かつ、縦穴１１ａの底部に連通するように、コンクリート基礎１１の一側面からその縦穴１１ａの底部を一定長さ越えた位置までナット４Ａを挿入できる大きさの横穴１１ｂを形成する。次いで、コンクリート基礎１１の横穴１１ｂから縦穴１１ａの直下位置までナット４Ａを挿入する一方、その縦穴１１ａにアンカーロッド２を挿入し、その下端側の雄ねじ２ａをナット４Ａにねじ込んで締結する。この後、ナット４Ａに錆が発生するのを防止するため、グラウトＧをコンクリート基礎１１の横穴１１ｂに充填し、ナット４Ａを覆ってコンクリート基礎１１の横穴１１ｂに接合させる。また、アンカーロッド２がコンクリート基礎１１の縦穴１１ａの内周面とアンカーロッド２の外周面との隙間で移動しないように、該隙間にもグラウトＧを充填する。
【００３１】
この結果、アンカーロッド２は、ナット４Ａを介してコンクリート基礎１１に定着されるため、本来のアンカーボルトと同等の引き抜き耐力を有することになり、必要な強度を確保することができる。したがって、アンカーボルトの入れ忘れ、アンカーボルトの誤った位置への植設、アンカーボルトの追加などに対応することができる。
【産業上の利用可能性】
【００３２】
以上のように本発明によれば、コンクリート基礎が形成された後であっても、本来のアンカーボルトと同等の引き抜き耐力を備えた後施工アンカーボルトを取り付けることができ、アンカーボルトの入れ忘れ、アンカーボルトの誤った位置への植設、アンカーボルトの追加などに対応することが可能となる。
【図面の簡単な説明】
【００３３】
【図１】本発明の後施工アンカーボルトの実施例１を示す正面側縦断面図である。
【図２】図１のＡ−Ａ線断面図である。
【図３】本発明の後施工アンカーボルトの実施例２を示す側面側縦断面図である。
【図４】本発明の後施工アンカーボルトの実施例３を示す側面側縦断面図である。
【図５】従来のアンカーボルトをコンクリート基礎とともに示す斜視図である。
【符号の説明】
【００３４】
１  後施工アンカーボルト
２，２Ａ  アンカーロッド
３  連結プレート
４，４Ａ  ナット
５  連結部材
１１  コンクリート基礎
１１ａ  縦穴
１１ｂ  横穴
【図１】
2005299129.tif 000003
【図２】
2005299129.tif 000004
【図３】
2005299129.tif 000005
【図４】
2005299129.tif 000006
【図５】
2005299129.tif 000007